【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
複数の印刷媒体経路を有するプリンタであって、
（１）プリンタ装置と、
（２）印刷媒体シートをシートピックアップ機構から前記プリンタ装置へ搬送するための第１印刷媒体経路と、
（３）前記印刷媒体シートを前記プリンタ装置からシート出口開口へ搬送するための第２印刷媒体経路と、
（４）前記印刷媒体シートを前記シート出口開口から前記プリンタ装置に戻す第３印刷媒体経路と、
（５）外箱であって、
（ａ）前記印刷媒体シートを前記第１印刷媒体経路に送ることができる少なくとも１つのシート入口開口と、
（ｂ）前記印刷媒体シートが第１流れ方向で移動して、前記プリンタ装置およびシート転進装置を通過した後、前記印刷媒体シートを該外箱から取り出すことができる少なくとも１つのシート出口開口とを有する該外箱と、
を備え、
（６）前記シート転進装置は、前記印刷媒体シートが前記第１流れ方向で通ることができるようにする第１作動位置と、前記印刷媒体シートが第２流れ方向で移動する間に前記印刷媒体シートをプリンタ装置の方へ逸らせる第２作動位置とを有し、
さらに、
（７）シートピックアップ機構であって、
（ａ）前記シートピックアップ機構が備えるローラの回転軸が下方水平レベルに配置され前記シートピックアップ機構が前記印刷媒体シートをシート取り出しトレイから取り上げる第１作動位置と、
（b）前記シートピックアップ機構が備える前記ローラの前記回転軸が前記下方水平レベルより上にある上方水平レベルに配置され、前記ローラは実質的に両面印刷経路のレベルにあって、前記印刷媒体シートが前記第２流れ方向で移動する時、前記印刷媒体シートを前記プリンタ装置の方へ移動させるための両面印刷経路の一部として機能する第２作動位置とを有する該シートピックアップ機構を備えることを特徴とする、プリンタ。
【請求項２】
前記外箱は、印刷媒体シートを前記プリンタ装置へ搬送するように送り込むことができる少なくとも２つのシート入口開口を有することを特徴とする、請求項１に記載のプリンタ。
【請求項３】
前記ローラは前記第１動作位置では第１方向で回転され、前記第２動作位置では前記第１方向とは異なる第２方向で回転されることを特徴とする、請求項１に記載のプリンタ。
【請求項４】
前記シート転進装置は、その第１作動位置において、前記第１流れ方向で移動中の印刷媒体シートが前記転進装置と衝突しないように、また、その第２作動位置において、前記第２流れ方向で移動中の印刷媒体シートが前記転進装置と衝突して前記プリンタ装置の方へ逸れるように、回動式に取り付けられていることを特徴とする、請求項１に記載のプリンタ。
【請求項５】
それぞれ個別のシートピックアップ機構を設けた２つのシート取り出しトレイをさらに備えることを特徴とする、請求項１に記載のプリンタ。
【請求項６】
プリンタの機能を高めるための方法であって、
（１）プリンタ外箱内にプリンタ装置を配置することと、
（２）前記プリンタ外箱と前記プリンタ装置とを通過する複数の印刷媒体経路を設けることと、
（３）印刷媒体シートを通過させて前記プリンタ装置に搬送できる少なくともひとつのシート入口開口を設けることと、
（４）前記プリンタ外箱に少なくともひとつのシート出口開口を設け、
（ａ）印刷媒体シートが第１流れ方向でシート転進装置を通過して移動するときには、前記印刷媒体シートを前記外箱から排出し、
（ｂ）印刷媒体シートが前記プリンタ装置に戻る第２流れ方向で前記シート転進装置を通過して移動できるようにすることと、
（５）シート転進装置を前記プリンタ外箱内で位置決めして、第１作動位置では該シート転進装置が前記印刷媒体シートの前記出口開口通過を促進でき、第２作動位置では前記シート転進装置が前記印刷媒体シートを前記プリンタ装置へ向かう第２流れ方向に導くことができるようにすることと、
（６）ローラを備えるシートピックアップ機構を前記外箱内で位置決めして、
（ａ）第１作動位置では、前記ローラの回転軸が下方水平レベルに配置され前記シートピックアップ機構が前記シートをシート取り出しトレイから取り上げ、
（ｂ）第２作動位置では、前記ローラの前記回転軸が前記下方水平レベルより上にある上方水平レベルに配置され、前記ローラは実質的に両面印刷経路のレベルにあって、前記印刷媒体シートが前記第２流れ方向で移動する時、前記印刷媒体シートを前記プリンタ装置の方へ移動させるための両面印刷経路の一部として機能する
ようにすることと
を備えることを特徴とする、プリンタの機能を高めるための方法。
【請求項７】
前記シートピックアップ機構が、
（ａ）第１作動位置から作動して、前記シートピックアップ機構の前記ローラを第１方向で回転して印刷媒体シートをシート取り出しトレイから取り上げ該印刷媒体シートを前記プリンタへ導き、
（ｂ）第２作動位置から作動して、前記ローラを第１方向とは異なる第２方向で回転して前記シートピックアップ機構が前記印刷媒体シートを前記プリンタ装置を通る両面印刷経路の一部上を搬送する
ことを特徴とする、請求項６に記載のプリンタの機能を高めるための方法。
【請求項８】
片面印刷作業においては、シート取り出しトレイから連続的に印刷媒体シートを前記プリンタに繰り出し、プリンタ装置を通して搬送し、シート回収トレイに送達することを特徴とする、請求項６に記載のプリンタの機能を高めるための方法。
【請求項９】
複数の印刷媒体経路を有するプリンタであって、
（１）プリンタ装置と、
（２）印刷媒体シートをシートピックアップ機構から前記プリンタ装置へ搬送するための第１印刷媒体経路と、
（３）前記印刷媒体シートを前記プリンタ装置からシート出口開口へ搬送するための第２印刷媒体経路と、
（４）前記印刷媒体シートを前記シート出口開口から前記プリンタ装置に戻す第３印刷媒体経路と、
（５）外箱であって、
（ａ）前記印刷媒体シートを前記第１印刷媒体経路に送ることができる少なくとも１つのシート入口開口と、
（ｂ）前記印刷媒体シートが第１流れ方向で移動して、前記プリンタ装置およびシート転進装置を通過した後、前記印刷媒体シートを該外箱から取り出すことができる少なくとも１つのシート出口開口とを有する該外箱と
を備え、
（６）前記シート転進装置は、前記印刷媒体シートが前記第１流れ方向で通ることができるようにする第１作動位置と、前記印刷媒体シートが第２流れ方向で移動する間に前記印刷媒体シートを前記プリンタ装置の方へ逸らせる第２作動位置とを有し、
さらに、
（７）ローラを備えるシートピックアップ機構であって、前記ローラが第１方向で回転されて前記印刷媒体シートをシート取り出しトレイから取り上げる第１作動位置と、前記ローラが前記第１方向とは異なる第２方向で回転されて、前記印刷媒体シートが前記第２流れ方向で移動する時、前記印刷媒体シートを前記プリンタ装置の方へ移動させるための両面印刷経路の一部として機能する第２作動位置とを有する該シートピックアップ機構を備えることを特徴とする、プリンタ。
【請求項１０】
プリンタの機能を高めるための方法であって、
（１）プリンタ外箱内にプリンタ装置を配置することと、
（２）前記プリンタ外箱と前記プリンタ装置とを通過する複数の印刷媒体経路を設けることと、
（３）印刷媒体シートを通過させて前記プリンタ装置に搬送できる少なくともひとつのシート入口開口を設けることと、
（４）前記プリンタ外箱に少なくともひとつのシート出口開口を設け、
（ａ）印刷媒体シートが第１流れ方向でシート転進装置を通過して移動するときには、前記印刷媒体シートを前記外箱から排出し、
（ｂ）印刷媒体シートが前記プリンタ装置に戻る第２流れ方向で前記シート転進装置を通過して移動できるようにすることと、
（５）シート転進装置を前記プリンタ外箱内で位置決めして、第１作動位置では該シート転進装置が前記印刷媒体シートの前記出口開口通過を促進でき、第２作動位置では前記シート転進装置が前記印刷媒体シートを前記プリンタ装置へ向かう第２流れ方向に導くことができるようにすることと、
（６）ローラを備えるシートピックアップ機構を前記外箱内で位置決めして、
（ａ）第１作動位置では、前記ローラの回転軸が下方水平レベルに配置され前記シートピックアップ機構が前記シートをシート取り出しトレイから取り上げ、
（ｂ）第２作動位置では、前記ローラの前記回転軸が前記下方水平レベルより上にある上方水平レベルに配置され、前記ローラは実質的に両面印刷経路のレベルにあって、前記印刷媒体シートが前記第２流れ方向で移動する時、前記印刷媒体シートを前記プリンタ装置の方へ移動させるための両面印刷経路の一部として機能する
ようにすることと
を備えることを特徴とする、プリンタの機能を高めるための方法。
【手続補正２】
【補正対象書類名】明細書
【補正対象項目名】発明の名称
【補正方法】変更
【補正の内容】
【発明の名称】プリンタおよびプリンタの機能を高めるための方法
【手続補正３】
【補正対象書類名】明細書
【補正対象項目名】０００５
【補正方法】変更
【補正の内容】
【０００５】
本発明の目的は、相異なる印刷動作を簡単な機構で実現し、プリンタの使い勝手を向上することにある。